(57)【特許請求の範囲】
【請求項１】
係合部を有するストップ部材と、一端に該ストップ部材方向に突出する衝突部を有し他端に横方向に延びる作用アーム部を有し上記衝突部がストップ部材側に突出するよう回動方向に付勢された回動部材を具備する本体を有し、該ストップ部材と本体のうちのいずれか一方の部材を枠体側に設け、他方の部材を引戸側に設け、引戸を閉鎖方向若しくは開放方向に移動して上記回動部材の衝突部がストップ部材の係合部に衝突したときこの係合状態をロックして引戸の移動を停止させ、上記引戸を移動する力を緩めたとき上記衝突部が係合部から外れる方向に回動部材が回動してロック状態を解除し引戸を閉鎖若しくは開放できるようにした引戸用指詰防止装置。
【請求項２】
上記回動部材は、引戸を閉鎖方向若しくは開放方向に移動して上記回動部材の衝突部とストップ部材の係合部が係合したとき相対的に引戸の戸尻方向若しくは戸先方向に移動するよう引戸の開閉方向に移動可能に設けられるとともに、引戸の戸先方向若しくは戸尻方向に付勢され、該回動部材が相対的に引戸の戸尻方向若しくは戸先方向に移動して回動部材の衝突部とストップ部材の係合部がロック状態となり、引戸を閉鎖若しくは開放する力を緩めるか消失するとき、回動部材の衝突部とストップ部材の係合部の係合が外れる方向に回動部材が回動するよう上記回動部材の作用アーム部と本体のホルダーには上記回動部材を回動方向に付勢する付勢力より大きな反発力を生じさせる磁石が設けられ、上記衝突部とストップ部材の係合部の係合が外れて引戸を閉鎖方向若しくは開放方向に移動したとき上記回動部材を戸先方向若しくは戸尻方向に付勢する付勢力で回動部材を相対的に引戸の戸先方向若しくは戸尻方向に移動すると共に回動方向に付勢する付勢力で回動部材を回動して衝突部がストップ部材側に突出した状態に復帰するようにした請求項１に記載の引戸用指詰防止装置。
【請求項３】
上記ホルダーには、上記回動部材の衝突部がストップ部材方向に突出しているとき磁力により上記作用アーム部に設けた磁石と吸引する磁石や吸着板が設けられている請求項２に記載の引戸用指詰防止装置。
【請求項４】
上記ストップ部材若しくは本体側に衝撃緩和装置が設けられている上記請求項１から３のいずれかに記載の引戸用指詰防止装置。
【請求項５】
上記衝撃緩和装置は上記ストップ部材の後方に位置する緩衝ばねと、該ストップ部材の移動を制動する制動装置を含み、緩衝ばねによるストップ部材の復帰を遅延させるよう上記制動装置とストップ部材を連結部材で連絡した請求項４に記載の引戸用指詰防止装置。
【請求項６】
上記請求項１〜５のいずれかの指詰防止装置を備えた引戸。
【発明の詳細な説明】
【技術分野】
【０００１】
本発明は、障子や引戸を開閉する際に枠体との間に指を挟み込まないようにした引戸用指詰防止装置に関する。
【背景技術】
【０００２】
引き違い障子、片引き障子、引き違い引戸、片引き引戸（以下単に引戸という）は、近年大型化、複層ガラス化により重量が大幅に増加した一方で、性能向上により開閉操作力は軽くなってきている。そのため、閉鎖時に指、手、特に小さな子供の場合には首、頭等を引戸と戸枠の間に挟み込んで大きな事故に繋がる危険性があり、そのような事故を防ぐための指詰防止装置が求められていた。そこで、引戸が戸枠に近づいたとき一旦引戸の移動を停止させるようにした指詰防止装置が提案されている（例えば、特許文献１参照）。
【０００３】
上記特許文献１に記載されている指詰防止装置は、引戸の移動速度が所定速度以下のとき、磁石の反発力により戸閉成阻止ユニットが退避して引戸が閉まるようにし、引戸が該ユニットの退避速度を上回る速度で閉められるときは、戸閉成ユニットを引戸に当てて指詰まりを防止しようとするものである。その他、磁石を利用した種々の指詰防止装置が提案されているが、いずれも引戸の速度が遅いときには指詰防止装置が作動せず、一定の速度を超えて引戸が閉められるときに指詰防止装置が作動して、引戸の移動を停止させるよう構成されている。したがって、従来の装置では、磁石の反発力と引戸の移動速度を微妙に調整しなければならないので、現場に設置する際の調整がむずかしく、長期にわたって使用中に狂いを生じるおそれもあり、好ましいものではなかった。
【先行技術文献】
【特許文献】
【０００４】
【特許文献１】特開平８−８２１５７号公報（請求項１、図１）
【発明の概要】
【発明が解決しようとする課題】
【０００５】
本発明の解決課題は、上記のように引戸の移動速度の大小によらず、確実に指詰め防止間隙を存して引戸の移動を停止させ、その後自動的に停止状態を解除して引戸を完全に閉鎖できるようにした引戸用指詰防止装置を提供することである。
なお、指詰防止装置は引戸を閉鎖する場合だけでなく、開放するときにも枠体との間で指等を挟み込むおそれのある場所で使用することができ、また、本発明において、「戸先」とは、引戸を移動する際の先端側をいい、「戸尻」とは引戸を移動する際の後端側をいう。
【課題を解決するための手段】
【０００６】
本発明によれば、係合部を有するストップ部材と、一端に該ストップ部材方向に突出する衝突部を有し他端に横方向に延びる作用アーム部を有し上記衝突部がストップ部材側に突出するよう回動方向に付勢された回動部材を具備する本体を有し、該ストップ部材と本体のうちのいずれか一方の部材を枠体側に設け、他方の部材を引戸側に設け、引戸を閉鎖方向若しくは開放方向に移動して上記回動部材の衝突部がストップ部材の係合部に衝突したときこの係合状態をロックして引戸の移動を停止させ、上記引戸を移動する力を緩めたとき上記衝突部が係合部から外れる方向に回動部材が回動してロック状態を解除し引戸を閉鎖若しくは開放できるようにした引戸用指詰防止装置が提供され、上記課題が解決される。
【０００７】
さらに本発明によれば、上記引戸用指詰防止装置において、上記回動部材は、引戸を閉鎖方向若しくは開放方向に移動して上記回動部材の衝突部とストップ部材の係合部が係合したとき相対的に引戸の戸尻方向若しくは戸先方向に移動するよう引戸の開閉方向に移動可能に設けられるとともに引戸の戸先方向若しくは戸尻方向に付勢され、該回動部材が相対的に引戸の戸尻方向若しくは戸先方向に移動した状態から引戸を閉鎖方向若しくは開放方向に移動させるとき、回動部材の衝突部とストップ部材の係合部の係合が外れる方向に回動部材が回動するよう上記回動部材の作用アーム部と本体のホルダーには上記回動部材を回動方向に付勢する上記付勢力より大きな反発力を生じさせる磁石が設けられ、上記衝突部とストップ部材の係合部の係合が外れて引戸を閉鎖方向若しくは開放方向に移動したとき上記回動部材を戸先方向若しくは戸尻方向に付勢する上記付勢力で回動部材を相対的に引戸の戸先方向若しくは戸尻方向に移動すると共に回動方向に付勢する上記付勢力で回動部材を回動して衝突部がストップ部材側に突出した状態に復帰するようにした引戸用指詰防止装置が提供され、上記課題が解決される。
【０００８】
また、本発明によれば、上記引戸用指詰防止装置において、上記ストップ部材若しくは本体側に衝撃緩和装置が設けられている上記引戸用指詰防止装置が提供される。
【発明の効果】
【０００９】
本発明は上記のように構成され、係合部を有するストップ部材と、一端に該ストップ部材方向に突出する衝突部を有し他端に横方向に延びる作用アーム部を有し上記衝突部がストップ部材側に突出するよう回動方向に付勢された回動部材を具備する本体を有し、該ストップ部材と本体のうちのいずれか一方の部材を枠体側に設け、他方の部材を引戸側に設け、引戸を閉鎖方向若しくは開放方向に移動して上記回動部材の衝突部がストップ部材の係合部に衝突したときこの係合状態をロックして引戸の移動を停止させ、上記引戸を移動する力を緩めたとき上記衝突部が係合部から外れる方向に回動部材が回動してロック状態を解除し引戸を閉鎖若しくは開放できるようにしたから、引戸を閉鎖方向に移動して閉鎖する際や開放方向に移動して開放する際、引戸の移動速度の大小によらず、ストップ部材の係合部に回動部材の衝突部が衝突した位置でストップ部材と回動部材がロックされて引戸の移動が停止し、引戸の戸先と枠体間に所定の空間を形成することができ、確実に指、手、頭等を挟み込まないようにすることができる。そして、引戸を移動する力を緩めるとロック状態が解除され回動部材の衝突部がストップ部材から外れて引戸を閉鎖若しくは開放することができるから、使用上、従来の引戸と同じように開閉でき、便利である。
【００１０】
また、上記ストップ部材若しくは本体に衝撃緩和装置を設けると、引戸が停止する際の衝撃が緩和され、引戸が跳ね返るおそれがなく、開閉し易い。
【図面の簡単な説明】
【００１１】
【図１】引戸（障子）の説明図。
【図２】本発明の一実施例を示す正面図。
【図３】引戸が閉鎖位置に近づいた状態の説明図。
【図４】衝突部が係合部に衝突した状態の説明図。
【図５】回動部材が移動した状態の説明図。
【図６】回動部材が回動を始めた状態の説明図。
【図７】回動部材がさらに回動して衝突部が係合部から外れた状態の説明図。
【図８】引戸がさらに閉鎖方向に移動した状態の説明図。
【図９】引戸が移動し衝突部がストップ部材から外れるときの説明図。
【図１０】引戸が閉鎖状態に至ったときの説明図。
【図１１】閉鎖状態から引戸を開き始めてストップ部材に衝突部が当った状態の説明図。
【図１２】回動部材が回動を始めた状態の説明図。
【図１３】回動部材がさらに回動した状態の説明図。
【図１４】回動部材の衝突部が係合部に接する状態に回動した状態の説明図。
【図１５】引戸が開放位置に向けて移動する際の説明図。
【図１６】他の実施例を示す説明図。
【図１７】図１６に示す実施例において引戸が移動した状態の説明図。
【図１８】ストップ部材を引戸側に設けた一実施例を示す説明図。
【図１９】係合部が衝突部に衝突した状態の説明図。
【図２０】回動部材が移動した状態の説明図。
【図２１】回動部材が回動を始めた状態の説明図。
【発明を実施するための形態】
【００１２】
指詰防止装置は、種々の場所で使用することができるが、図１に示す実施例は、戸枠や窓枠等の枠体１と、この枠体１内で開閉可能に組み込まれた引戸（障子）２間に設けられ、以下引戸を閉鎖する際に、枠体の竪枠３との間に指等を挟み込まない空間（間隙）４を形成した位置で引戸の移動を一時的に停止させ、その後に完全に閉鎖できるようにした実施例につき説明する。
【００１３】
図２を参照し、本発明の指詰防止装置は、係合部５を有するストップ部材６と、回動部材７を有する本体８を具備し、これらの部材６、８のうち一方の部材を枠体１に取り付け、他方の部材を引戸２に取り付けてある。図２に示す実施例では、枠体１の上枠９にストップ部材６を取り付け、このストップ部材６に対向する引戸２の上框１０に本体８を取り付けてあるが、後記するように枠体１に本体８を取り付け、引戸２にストップ部材６を取り付けることもできる。ストップ部材６は、ブラケット１１を介して若しくは直接上記枠体１の上枠９から下方に突出するように固定され、扁平な略直方体形状に形成されている。該ストップ部材６の下面には、図２において引戸の閉鎖方向に向かって水平でもよいが、緩やかに下方に傾斜する案内傾斜面１２と、この案内傾斜面１２に続いて下方に大きく傾斜する上記係合部５が設けられ、該係合部５の下端に続いて引戸２の上縁に沿って延びるよう水平面１３が形成され、該水平面１３の端部は角部１４を介して上方に延びている。この係合部５には、緩やかな隆起部を形成したり、凹部を設けて回動部材７の後記する衝突部１５が、より確実に係合するようにしてもよい。
【００１４】
上記本体８は、上記引戸２にねじ１６で取り付けられるケース１７と、このケース１７を覆う蓋体１８で箱状に構成され、上記ストップ部材６の係合部５に係合可能するよう斜面１９を介して突出する衝突部１５と横方向に延びる作用アーム部２０を有する上記回動部材７が回動可能に設けられている。該回動部材７は回動軸２１の外周に回転自在に遊嵌され、該回動軸２１は上記ケース１７と蓋体１８に形成した長孔２２に挿入されて引戸２の開閉方向に往復動可能に遊嵌されると共に引戸の閉鎖方向（戸先側）に向けて横方向に付勢されている。なお、長孔２２はケース若しくは蓋体側のいずれか一方に設けることもでき、蓋体を省略することもできる。図２に示す実施例では、ケース１７内のばね軸２３に捩りコイルばね２４の環状部を遊嵌し、該ばね２４の一端をケースに形成したブラケットやスリット等の支承部２５に当接させ、他端を上記回動軸２１の側面に当接させることにより該回動軸２１を引戸の閉鎖方向（戸先側）に付勢しているが、引張ばね等を用いて付勢するようにしてもよい。なお、上記長孔２２には、潤滑性を有する適宜のプラスチック材料で形成した摺動ガイド部材（図示略）を嵌着したり、上記回動軸に適宜の軸受（図示略）を設けて長孔内を転動若しくはスムーズに左右動できるようにすることもできる。また、回動軸２１と回動部材７を一体的に構成してもよい。
【００１５】
また、上記回動部材７は上記衝突部１５が引戸（装置本体）の上端からストップ部材６方向に突出するよう回動方向にも付勢されている。図２に示す実施例では、上記回動軸２１を中心として反時計方向に回転するよう作用アーム部２０側の重量を衝突部１５側の重量より重く形成してあるが、適宜のばね等の付勢手段を設けて付勢するようにしてもよい（図示略）。また、図２に示すように上記作用アーム部２０は衝突部１５がストップ部材６に当接していない状態のとき、本体８に設けたホルダー２６の上面に着座している。この際、振動、衝撃等で回動部材７が勝手に回動して衝突部１５が引戸（装置本体）内に後退しないようこの状態を確保するため、上記作用アーム部２０とホルダー２６には、磁性により互いに引き合う磁石（極性の異なる磁石）や吸着板を設けることが好ましい。図２においては、作用アーム部２０に磁石２７を設け、ホルダー２６に異極の磁石２８を設け、これらの磁石はそれぞれ取付孔に挿入固定してあるが、ホルダー２６側の磁石２８の代わりに上面には吸着板を設けてもよい。このホルダー２６は、両側に設けたピン若しくはねじ２９をケース等に形成した案内溝３０に挿入し、本体の下方から調整ねじ３１をねじ込み、この調整ねじ３１を調整することにより図２において上下方向に移動して作用アーム部２０との間隔を調整して磁力を調整できるようにしてある。なお、ホルダー２６を用いずに適宜の部材により磁石２８や吸着板をケースに保持させるようにしてもよい。
【００１６】
上記長孔２２の長さは、図２に示すように、引戸２が開放状態にあるとき、回動部材７が回動方向に作用する付勢力により作用アーム部２０がホルダー２６に着座すると共に上記ばね２４により戸先方向に作用する付勢力により回動軸２１が閉鎖側（戸先側）の孔端３２に当接し、後記するように、衝突部１５がストップ部材６の係合部５に係合したとき上記ばね２４に抗して引戸２の開放方向（戸尻側）に所定量移動し、開放側（戸尻側）の孔端３３に当接する長さに形成してある。そして、このように引戸の開放側（戸尻側）に移動した位置で、上記作用アーム部２０に設けた上記磁石２７に対向するホルダー２６には、該磁石２７に近接することにより上記回動方向に回動部材７を付勢する上記付勢力よりも大きな反発力を回動部材７に作用させるよう磁石（同極の磁石）３４が設けられている。これにより、回動部材７は上記衝突部１５がストップ部材６の係合部５から離れる方向（図２において時計方向）に回動し、ストップ部材６との係合が解除される。
【００１７】
上記実施例による引戸を閉鎖する際の作用を説明する。図３は、上記図２の状態で手動若しくは適宜の自動閉鎖装置（図示略）により引戸２に矢印３５方向に向かって移動する力、すなわち閉鎖力を作用させて引戸２を閉鎖方向に移動し、ストップ部材６に近づいた状態を示している。そして、図４に示すように、衝突部１５がストップ部材６の係合部５に衝突すると、図５に示すように、回動部材７の回動軸２１は、ばね２４による戸先方向の付勢作用に抗して上記閉鎖力により相対的に引戸２の開放方向（戸尻側）に長孔２２内を移動し、回動軸２１が戸尻側の孔端３３に当った位置で止まる（実際には、回動部材７は移動が拘束されているので、停止しており、本体８のホルダー２６側が戸先側に移動している）。なお、この際、上記のようにホルダー２６に、上記作用アーム部２０側の上記磁石２７と引き合う異極の磁石２８や吸着板を設けておくと、磁石の作用として吸着方向に引き剥がすには大きな力が必要であるので、引張方向には動きにくいが、せん断方向（横方向）には小さな力で動かすことができるので、作用アーム部２０がホルダー２６の上面に沿った状態で容易に回動部材７を移動させることができる。したがって、衝突部１５が係合部５に当ったときの衝撃で回動部材７の作用アーム部２０がホルダー２６の吸着板や磁石２８から離れる方向に飛び跳ねるようなおそれがなく、図４に示す状態から図５に示す状態に確実に滑らかに移行させることができ、移行中は、回動部材７に設けた磁石２７とホルダー２６に設けた同極の磁石３４による同極面での最大の反発力を受ける直前まで吸着板や磁石２８に吸着されながら移動している。そして、引戸２を閉鎖方向に作用する閉鎖力と衝突部１５を突出方向に付勢するよう回動部材に付与した回動方向の付勢力により、上記衝突部１５が係合部５に押し付けられ、上記回動部材７は衝突部１５と係合部５が係合した状態でロックされ、引戸２の移動は停止する。このようにして、ストップ部材６を適宜位置に設けることにより引戸２の戸先と枠体１間には、指詰防止の空間（間隙）４が確保される。
【００１８】
上記引戸２を閉鎖しようとする力を緩めるか、引戸から手を離し、若しくは自動閉鎖装置併用の場合には引戸２を僅か開放方向に戻して引戸を閉鎖しようとする閉鎖力を一旦少なくし、若しくは消失させると、上記衝突部１５を係合部５に押し付けている力が消失若しくは少なくなるので、ロック状態が解除される。そして、引戸２が停止した状態で、上記磁石２７と磁石３４がほぼ同位置で対向し最大の斥力を生じるように設けてあるから、上記回動部材７は回動方向に付勢している付勢力に打ち勝って上記磁石２７、３４による反発力により衝突部１５がストップ部材６の係合部５から離れる方向（図において時計方向）に自動的に回動し始める（図６）。この回動中も上記回動部材７には、ばね２４により戸先方向に付勢力が働いているから、図７に示すように、回動部材７は回動軸２１を中心に回動しつつ係合部５から外れた衝突部１５がストップ部材６の水平面１３を滑りながら、閉鎖方向に移動し、回動軸２１が戸先側の孔端３２に当接する位置で止まり（図８）、衝突部１５とストップ部材６の係合が外れた瞬間から引戸２を閉鎖することができる。上記ホルダー２６側からの反発力は、上記磁石３４から作用アーム部２０の磁石２７が離れるので次第に弱くなり、かつ回動部材７に作用する回動方向の付勢力により、図９に示すように、作用アーム部２０はホルダー２６に近づきつつ引戸の移動により衝突部１５がストップ部材６を超え、図１０に示すように引戸を閉鎖位置まで移動させることができる。なお、上記のようにホルダー２６に作用アーム部２０側の磁石２７と異極の磁石２８や吸着板を設けておけば、回動部材７を図１０に示す状態に確実に保持しておくことができ、閉鎖中に引戸が振動、衝撃を受けても回動部材がホルダーから簡単に外れることがない。
【００１９】
上記のようにして引戸２を完全に閉鎖した図１０の状態から開放する工程を説明すると、図１１に示すように、引戸２を開放位置に向けて矢印３６方向に移動すると、回動部材７の衝突部１５の後面に形成した斜面１９がストップ部材６の角部１４に当接し徐々に引き剥がすことにより、軽い力で上記磁石２７、２８による吸着作用を引き剥がしつつ回動部材７は回動方向に付勢する付勢力に抗して時計方向に回動し、衝突部１５が水平面１３を滑りながら引戸とともに開放方向に移動する（図１２）。そして、水平面１３を外れると、図１３、図１４に示すように回動方向に作用する付勢力により反時計方向に回動して衝突部１５は係合部５に対向する位置に移動するが、引戸２には開放方向（戸尻側）に力が作用しているので、回動部材７がロックされるおそれはなく、その後は上記図３と同じ状態に復帰する（図１５）。
【００２０】
引戸２が停止する際に、閉じる速度が著しく速い場合には、回動部材７の衝突部１５がストップ部材６の係合部５に当接した際、引戸２が跳ね返ったり、ストップ部材６や回動部材７が破壊するおそれがあるので、衝撃が作用しないよう適宜の元位置に復帰する衝撃緩和装置や制動装置を設けることが好ましい。図１６には、ストップ部材６に作用する衝撃力を緩和する緩衝ばね３７と、該ばね３７によるストップ部材６の復帰動を遅延させるよう制動装置を設けた一実施例が示されている。制動装置（衝撃緩和装置）としては、油圧、空圧等を利用した各種の装置を用いることができるが図１６には、粘性流体の抵抗を用いたリニアダンパ３８を用いた実施例が示されている。図１６において、ストップ部材６は、引戸２の開閉方向に延びるガイドケース３９内に摺動可能に設けられており、該ケース３９の一端側にはリニアダンパ３８が固定され、該リニアダンパ３８とストップ部材６の間には緩衝ばね（圧縮コイルばね）３７が設けられている。該リニアダンパ３８に挿通したスパイラルロッド４０の一端は、上記緩衝ばね３７の中心を通過してストップ部材６方向に延び、先端にはパイプ４１が固着され、該パイプ４１をストップ部材６に設けた一方向クラッチ４２に挿入し、スパイラルロッド４０がストップ部材６と共に軸方向に移動すると共に一方向にのみ回転できるようストップ部材に連結している。
【００２１】
リニアダンパ３８内には公知のように上記スパイラルロッド４０の周面に形成したスパイラル状の溝や突条にねじ係合する制動板４３と油等の制動流体が収納されている。該制動板４３は上記スパイラルロッド４０が回転せずに軸方向に移動するときはスパイラル部の作用で回転するが、この回転は制動抵抗を受けているのでゆっくりとした回転であり、それによりスパイラルロッド４０の移動を制動することができる。スパイラルロッド４０が自由に回転できるときには、スパイラルロッド４０が軸方向に移動しても、単にスパイラルロッドが回転しながら軸方向に移動するだけで、上記制動板４３は回転しない。上記スパイラルロッドと制動板に形成するスパイラルの方向と一方向クラッチの関係は、図１６においてスパイラルロッドが引戸の閉鎖方向（戸先側）に移動するときには、一方向クラッチが空転しスパイラルロッドが自由に回転して制動板が回転せず、一方、引戸の開放方向（戸尻側）にスパイラルロッドが移動するときには一方向クラッチがスパイラルロッドの回転を拘束し該スパイラルロッドにねじ係合する制動板が回転してスパイルルロッドの軸方向の移動を制動するよう構成してある。
【００２２】
上記の構成により、図１６に示すように、引戸が閉鎖方向に移動して回動部材７の衝突部１５がストップ部材６の係合部５に衝突すると、回動部材７はばね２４に抗して相対的に戸尻方向に移動し、長孔２２の戸尻側端部３３に回動軸２１が当った位置で移動が停止して上述のようにロックされるが、この間に図１７に示すように、上記ストップ部材６は衝撃を吸収しつつ緩衝ばね３７を圧縮しながら引戸の閉鎖方向（戸先側）に移動するから、衝撃が緩和され、引戸を閉鎖する力と緩衝ばね３７の力が釣り合った場所で停止する。このとき、上記スパイラルロッド４０は、ストップ部材６と一緒に戸先方向に移動するが、一方向クラッチ４２により空転可能状態に支持されているので、自由に回転するからリニアダンパ３８内の制動板４３を回転させることはなく、自身が回転しながら抵抗なく上記リニアダンパ３８内に滑り込む。
【００２３】
そして、引戸の移動が停止した状態で引戸に作用する閉鎖力が弱められたり、消失したりすると、上述したように回動部材７は閉鎖方向（戸先側）に移動しながら回動してストップ部材６とのロック状態が解除されるが、ストップ部材６が上記緩衝ばね３７の復元力により戸尻側に直ちに強く押された状態であると、ロックの解除に支障を生じるおそれがある。そこで、図１７に示す状態から図１６の状態に戻るとき、上記一方向クラッチ４２によりスパイラルロッド４０の回転を拘束し、リニアダンパ３８による制動力をスパイラルロッド４０に作用させ、リニアダンパ３８とスパイラルロッド４０間で発生する抵抗によりスパイラルロッド４０がゆっくりと移動するようにしてある。これにより、上記ストップ部材６は、緩衝ばね３７によりを徐々に戸尻方向に移動するから、上記ストップ部材６が図１６に示す状態に戻るまでの間に回動部材７とストップ部材６のロック状態を確実に解除することができる。なお、上記実施例においては、リニアダンパ３８の構造に対応してストップ部材６とリニアダンパ３８をスパイラルロッド４０で連結してあるが、制動装置（ダンパ）の構成や形式等によりリニアダンパではなく通常の空気或いは油圧シリンダーを連結部材として用いることもできる。
【００２４】
上記実施例においては、ストップ部材を枠体側に設け、回動部材を引戸側に設けたが、ストップ部材６を引戸２側に設け、回動部材７を枠１側に設けることもできる。図１８から図２１はこのような実施例を示し、この実施例における構成は基本的に上記実施例と同様であるので、同様の符号を付してあるが、回動部材７は、作用アーム部２０側に比べて衝突部１５側の重量を重くすることにより、回動軸２１を中心として反時計方向に回転して該衝突部１５がストップ部材６側に回動するように付勢してある点が相違している。また、回動部材７の回動軸２１は、ばね２４により引戸２の開放側（戸尻側）に付勢され、長孔２２の戸尻側の孔端３３に当って停止している。回動部材７の作用アーム部２０には、磁石２７が設けられ、ホルダー２６には該磁石２７と異極の磁石２８と同極の磁石３４が設けられている。そして、図１８に示す状態から引戸２を矢印４４方向に移動して閉鎖しようとすると、ストップ部材６の係合部５と回動部材７の衝突部１５が衝突し（図１９）、ストップ部材６に押されて回動部材７は引戸の閉鎖方向（戸先）に移動し、回動軸２１が長孔２２の戸先側の孔端３２に当った位置で停止し、回動部材７とストップ部材６はロックされる（図２０）。引戸２の閉鎖力が弱められ若しくは消失すると、該回動部材７は、上記ばね２４による開放方向（戸尻方向）の付勢力で引戸２の開放方向（戸尻側）に戻りつつ磁石２７、３４による反発力で時計方向に回動し（図２１）、ロックが解除されるから、その後、閉鎖方向に引戸を閉鎖することができる。以下、上述の実施例をほぼ同様に開閉することができる。
【００２５】
上記実施例は引戸を閉じるとき指等を挟み込まないよう引戸の戸先と枠体間に空間・間隙を形成した状態でストップ部材と回動部材をロックして一旦引戸の移動を停止し、その後、ロックを自動的に解除して完全に閉鎖できるようにしたが、上述したように、所望により引戸を開放する際に枠体との間に間隙を形成した状態で引戸の移動を一旦停止させるようにすることもできる。このような構成は、上記実施例に基づき当業者には容易に変更できる事項であるので詳細な説明は省略する。
【符号の説明】
【００２６】
１    枠体
２    引戸
５    係合部
６    ストップ部材
７    回動部材
８    本体
１５  衝突部
２０  作用アーム部
２１  回動軸
２２  長孔
２４  捩りコイルばね
２６  ホルダー
２７、２８、３４  磁石
３７  緩衝ばね
３８  リニアダンパ
４０  スパイラルロッド
４２  一方向クラッチ
【図１】
0005759247.tif 000002
【図２】
0005759247.tif 000003
【図３】
0005759247.tif 000004
【図４】
0005759247.tif 000005
【図５】
0005759247.tif 000006
【図６】
0005759247.tif 000007
【図７】
0005759247.tif 000008
【図８】
0005759247.tif 000009
【図９】
0005759247.tif 000010
【図１０】
0005759247.tif 000011
【図１１】
0005759247.tif 000012
【図１２】
0005759247.tif 000013
【図１３】
0005759247.tif 000014
【図１４】
0005759247.tif 000015
【図１５】
0005759247.tif 000016
【図１６】
0005759247.tif 000017
【図１７】
0005759247.tif 000018
【図１８】
0005759247.tif 000019
【図１９】
0005759247.tif 000020
【図２０】
0005759247.tif 000021
【図２１】
0005759247.tif 000022